(57)【特許請求の範囲】
【請求項１】
エレベータのかご内に設置され、かご内の乗客がかご呼びを行う際に操作する、各階床に対応した複数の行先階登録用ボタンスイッチを有するエレベータのかご操作盤において、 
前記行先階登録用ボタンスイッチは、 
かご呼びに対応する前記行先階登録用ボタンスイッチを点灯すると共に、 
各階床で発生した乗場呼びの内、前記エレベータのかごの進行方向の階床で発生した乗場呼びに対応する前記行先階登録用ボタンスイッチのみを点灯し、
前記行先階登録用ボタンスイッチは、
前記進行方向の最も上のかご呼び又は最も下のかご呼びに対応した前記エレベータのかごの進行方向が反転し、
反転走行後最初の乗場呼びに応じた階床に着床し、ドアを開くと同時に着床した階床以外の反転後の進行方向の階床で発生している乗場呼びに対応する前記行先階登録用ボタンスイッチを点灯すること
を特徴とするエレベータの操作装置。
【請求項２】
乗場呼びに対応する前記行先階登録用ボタンスイッチを点灯すると共に、音声又は表示装置の表示により、乗場呼びに対応する前記行先階登録用ボタンスイッチを点灯したことを報知すること 
を特徴とする請求項１に記載のエレベータの操作装置。
【請求項３】
前記行先階登録用ボタンスイッチは、 
かご呼びにより点灯する場合と乗場呼びより点灯する場合とで、 
異なる色で点灯すること 
を特徴とする請求項１又は２に記載のエレベータの操作装置。 
【請求項４】
前記行先階登録用ボタンスイッチは、 
かご呼びに対応して行先階登録用ボタンスイッチが点灯している場合において、 
前記かご呼びと同一の階床に乗場呼びが発生した場合、 
かご呼びに対応する場合の点灯色から乗場呼びに対応する場合の点灯色へ切り替わること 
を特徴とする請求項３に記載のエレベータの操作装置。
【発明の詳細な説明】
【技術分野】
【０００１】
本発明は、エレベータの呼び登録を行うかご内および乗場に設置される操作装置に関する。
【背景技術】
【０００２】
エレベータにはエレベータの呼び登録を行う操作装置がかご内および乗場に設置される。
エレベータのかご内には操作装置として、乗客が目的階を入力するためのかご操作盤が設置されている。かご操作盤には各階床に対応したボタンスイッチが複数設置されている。当該ボタンスイッチの操作部表面には前記各階床が表示されている。乗客はかごに乗り込んだ後、自らの目的階に対応したボタンスイッチを押下して、目的階を登録する（以降、かご内で目的階を登録することをかご呼びと称する）。そして、かご呼びされると、当該ボタンスイッチはＬＥＤ等により点灯し、登録が完了したのを報知するのが一般的である。
【０００３】
ＬＥＤ等の点灯は、ボタンスイッチが押下されると、当該ボタンスイッチに対応する階床が行先階として図示しない制御装置に登録され、当該制御装置から押下されたボタンスイッチのＬＥＤ等を点灯させるように指示されることにより行われる。
【０００４】
一方、エレベータの各階床（乗場）には操作装置として、当該階床に上方向行き又は下方向行きのエレベータのかごを呼び寄せるための、乗場操作器具が設置される（以降、乗場でエレベータのかごを呼ぶ登録をすることを乗場呼びと称する）。当該乗場操作器具には、中間階の場合は上方向行きかごを呼ぶボタンスイッチと下方向行きかごを呼ぶボタンスイッチが、最上階又は最下階については、上方向行きかごを呼ぶボタンスイッチ又は下方向行きかごを呼ぶボタンスイッチのいずれかが設置されている（以降、上方向行きかごを呼ぶボタンスイッチと下方向行きかごを呼ぶボタンスイッチを合わせて乗場呼び用のボタンスイッチと称する）。
【０００５】
乗場呼び用のボタンスイッチのＬＥＤ等の点灯は、かご呼び用のボタンスイッチと同様に、ボタンスイッチが押下されると、当該ボタンスイッチに対応する上方向行き又は下方向行きの乗場呼びとして図示しない制御装置に登録され、当該制御装置から押下されたボタンスイッチのＬＥＤ等を点灯させるように指示されることにより行われる。
【０００６】
ところで、通常エレベータのかご操作盤のボタンスイッチはかご呼びが登録された場合に対応するボタンスイッチが点灯し、乗場呼びが登録されても乗場呼びされた階床に対応したかご操作盤のボタンスイッチは点灯しないのが一般的である。
【０００７】
このような一般的なエレベータのかご操作盤の場合、乗場呼びを反映してボタンスイッチが点灯しないため、既に乗場呼びにより着床することが決まっている階床への登録を乗客が再度行っている場合があり、乗客に無駄な操作をさせることになっている。また、乗場呼びによって停止する階がかご内では不明なため、乗客が誤って目的階でない階床に降りるおそれもあった。この問題はかご内にあるかご位置表示装置を見ている場合は起こり難いが、乗客が必ずしもかご位置表示装置を見ているとは限らないため、起こり得る問題である。
【０００８】
これらの問題点を解決するため、かご操作盤のボタンスイッチのＬＥＤ等による点灯を細かく制御し、上方向行きの乗場呼びの場合はボタンスイッチの正面視上側の一部を点灯し、下方向行きの乗場呼びの場合はボタンスイッチの正面視下側の一部を点灯して前述の問題を解決する技術が知られている（以降、かごが進む上方向又は下方向を合わせてかご進行方向とする）。
【０００９】
一方、エレベータの乗場操作器具のボタンスイッチは乗場呼びが登録された場合に押下した上方向行き又は下方向行きのボタンスイッチが点灯するのみで、かご呼びの登録により当該階床にエレベータのかごが着床する場合であっても、上方向行き又は下方向行きのボタンスイッチは点灯しないのが一般的である。
【先行技術文献】
【特許文献】
【００１０】
【特許文献１】特開２００８−１０５７６９号公報
【発明の概要】
【発明が解決しようとする課題】
【００１１】
しかしながら、特許文献１の発明に係るエレベータのかご操作盤は、乗場呼びが発生した階床に対応するボタンスイッチの正面視一部しか点灯しないため、当該エレベータを初めて利用する乗客や利用回数の少ない乗客等は一部点灯の意味が分からず、目的階が未登録であると認識し、乗場呼びと重複したボタンスイッチを押下してかご呼びを登録するという乗客に無駄な操作をさせるものとなっている。
【００１３】
本発明は、上記した課題に鑑み、上記従来のエレベータの操作装置よりも、利用客および乗客の無駄なボタンスイッチ操作を防止することを目的とする。
【課題を解決するための手段】
【００１４】
本発明に係るエレベータのかご操作盤は、エレベータのかご内に設置され、かご内の乗客がかご呼びを行う際に操作する、各階床に対応した複数の行先階登録用ボタンスイッチを有するエレベータのかご操作盤において、 
前記行先階登録用ボタンスイッチは、 
かご呼びに対応する前記行先階登録用ボタンスイッチを点灯すると共に、 
各階床で発生した乗場呼びの内、前記エレベータのかごの進行方向の階床で発生した乗場呼びに対応する前記行先階登録用ボタンスイッチのみを点灯し、
前記行先階登録用ボタンスイッチは、前記進行方向の最も上のかご呼び又は最も下のかご呼びに対応した前記エレベータのかごの進行方向が反転し、反転走行後最初の乗場呼びに応じた階床に着床し、ドアを開くと同時に着床した階床以外の反転後の進行方向の階床で発生している乗場呼びに対応する前記行先階登録用ボタンスイッチを点灯する。
【００１６】
また、本発明に係るエレベータのかご操作盤は、乗場呼びに対応する前記行先階登録用ボタンスイッチを点灯すると共に、音声又は表示装置の表示により、乗場呼びに対応する前記行先階登録用ボタンスイッチを点灯したことを報知する。
【００１７】
また、本発明に係るエレベータのかご操作盤は、前記行先階登録用ボタンスイッチは、かご呼びにより点灯する場合と乗場呼びより点灯する場合とで、異なる色で点灯する。
【００１８】
また、本発明に係るエレベータの操作は、前記行先階登録用ボタンスイッチは、かご呼びに対応して行先階登録用ボタンスイッチが点灯している場合において、前記かご呼びと同一の階床に乗場呼びが発生した場合、かご呼びに対応する場合の点灯色から乗場呼びに対応する場合の点灯色へ切り替わる。
【発明の効果】
【００２３】
利用客および乗客の無駄なボタンスイッチ操作を防止することができる。
【図面の簡単な説明】
【００２４】
【図１】実施例１におけるかご操作盤の設置位置の一例を示す図である。
【図２】実施例１および実施形態２におけるエレベータの乗場の一例を示す図である。
【図３】実施例１におけるフロー図である。
【図４】実施例１におけるかご呼び登録時のかご操作盤の一例を示す図である。
【図５】実施例１におけるかご呼び登録後に乗場呼びが登録された場合のかご操作盤の一例を示す図である。
【発明を実施するための形態】
【実施例１】
【００２５】
以下、実施例１に係るかご操作盤５について、図面を参照しながら説明する。かご操作盤には一般用のかご操作盤と身障者用のかご操作盤等があるが、以下一般用のかご操作盤を例にして説明する。
【００２６】
図１に示すように、エレベータのかご１は、かご出入口を開閉自在に閉塞するかごドア２、天井６、天井照明７、および袖壁３等により構成される。袖壁３には、かご位置表示装置４およびかご操作盤５等が設置される。
【００２７】
図４に示すように、エレベータのかご操作盤５には、かご呼び可能な行先階を表示した複数個の(本例では、８個の)ボタンスイッチからなる行先階登録用ボタンスイッチ８（１階登録用ボタンスイッチ９及び３階登録用ボタンスイッチ１０を含む）が設置される。
【００２８】
また、図２に示すように、エレベータ乗場（各階床）１７には、エレベータの乗場ドア１１、乗場ドア敷居１２および三方枠１３が設置され、乗場呼びを登録する乗場操作器具１４が三方枠１３又はその近傍に設置される（本例では、三方枠の近傍）。
【００２９】
乗場操作器具１４には、中間階の場合は上方向行きかごを呼ぶボタンスイッチ１５及び下方向行きかごを呼ぶボタンスイッチ１６が、最上階又は最下階の場合は、上方向行きかごを呼ぶボタンスイッチ１５又は下方向行きかごを呼ぶボタンスイッチ１６のいずれかが設置されている（図２は中間階を示す）。
【００３０】
次に、図１乃至図５に基づき、本実施例に係るエレベータのかご操作盤５の動作を説明する。図３は実施例におけるフロー図である。図４は実施例におけるかご呼び登録時のかご操作盤５の一例を示す図である。図５は実施例におけるかご呼び登録後に乗場呼びが登録された場合のエレベータのかご操作盤５の一例を示す図である。なお、図４および図５は行先階登録用ボタンスイッチ８以外の部分を省略した図である。
【００３１】
例えば、エレベータのかご１の乗客の目的階が１階である場合、かご操作盤５の１階登録用ボタンスイッチ９を押下することにより登録する。その結果、図４のように１階登録用ボタンスイッチ９がＬＥＤ等により点灯し、乗客に対し登録が完了したことを報知する。（図４及び図５においてハッチングされたボタンスイッチはＬＥＤ等により点灯した状態を示す。）
【００３２】
エレベータのかご１はかごドア２及び乗場ドア１１の戸閉が完了した後、かご呼び及び割り当てられた乗場呼びに対応するために図示しない駆動装置によって、上方向又は下方向に昇降する。ここで割り当てとは、図示しない制御装置が、前記エレベータのかご１に対して乗場呼びが発生した階床に着床し、乗客を乗車させるべく当該階床に停止させるように指令することをいうものとする。
【００３３】
エレベータのかご１がいずれかの階床に停止中又はエレベータのかご１が上方向又は下方向に昇降中に乗場呼びが発生した場合、所定の条件に該当すれば当該乗場呼びに対応した階床を示すエレベータのかご操作盤５の行先階登録用ボタンスイッチ８が点灯する。
【００３４】
図５は図４に示す１階登録用ボタンスイッチ９によりかご呼びがされた後、３階において乗場呼びが発生し、エレベータのかご操作盤５の３階登録用ボタンスイッチ１０が点灯することにより、３階において乗場呼びが発生したことを乗客に報知した場合のエレベータのかご操作盤５の一例を示す図である
【００３５】
図３は乗場呼びが発生した場合にエレベータのかご操作盤５の対象となる行先階登録用ボタンスイッチ８を点灯するか否かを判断するフロー図である。
【００３６】
図３において、新たな乗場呼びが発生した場合、ＳＴＥＰ１で当該乗場呼びがエレベータのかご１に割り当てられるか否かを判断する。割り当てされなければフローは終了する。
【００３７】
一方、割り当てされる場合には、ＳＴＥＰ２に進み、当該乗場呼びがエレベータのかご１の進行方向にある階床で発生したか否かを判断する。当該乗場呼びがエレベータのかご１の進行方向にある階床で発生していなければフローは終了する。
【００３８】
一方、該乗場呼びがエレベータのかご１の進行方向にある階床で発生している場合は、ＳＴＥＰ３に進み、エレベータのかご操作盤５のボタンスイッチ８の該当する階床に対応するボタンスイッチをＬＥＤ等により点灯する。図５の例では、３階登録用ボタンスイッチ１０を点灯させる。
【００３９】
ここで、エレベータのかご１は上方向行きのかごであれば最も上のかご呼び又は割り当てられた乗場呼びに対応し、下方向行きのかごであれば最も下のかご呼び又は割り当てられた乗場呼びに対応した後、次の動作を行うことが考えられる。
【００４０】
（１）新たな乗場呼びが発生するまで、最後に着床した階床に待機する。（２）あらかじめ設定された基準階に向かって走行する。（３）すでに割り当てられた乗場呼びに対応するため反転し走行する。
【００４１】
前述の（３）の場合において、エレベータのかご１が反転走行を開始すると同時に、すでに割り当てがされた乗場呼びに対応した行先階登録用ボタンスイッチ８をＬＥＤ等により点灯する。
【００４２】
この場合、エレベータのかご１が反転走行を開始した時点においては乗客が乗車していないため、反転走行後最初の乗場呼びに応じた階床に着床し、ドアを開く前又はドアを開くと同時に当該階床以外のすでに割り当てがされた乗場呼びに対応した行先階登録用ボタンスイッチ８をＬＥＤ等により点灯しても良い。
【００４３】
以上の実施例１によれば、特許許文献１の発明に係るかご操作盤のように、かごが上方向に走行している場合も、下方向行き乗場呼びが発生すると、該当する階床に対応するボタンスイッチの正面視下側の一部が点灯し、かごが下方向に走行している場合も、上方向行き乗場呼びが発生すると、該当する階床に対応するボタンスイッチの正面視上側の一部が点灯するため、当該エレベータを初めて利用する乗客や利用回数の少ない乗客等は一部点灯の意味が分からず、すでに登録済みと誤認識し（例えば一部点灯をデザインと誤認識し）、行先階を登録しないという不具合を回避するという効果を得ることもできる。
【００４４】
以上、本発明に係るエレベータの操作装置を実施例１に基づいて説明してきたが、本発明は、上記した形態に限らないことは勿論であり、例えば、以下のような形態としても構わない。
【００４５】
（１）本発明に係るエレベータのかご１に乗車している乗客にとっては、かご内の乗客が行先階登録用ボタンスイッチ８を押下していないにも関わらず、エレベータのかご１の進行方向で乗場呼びが発生し、当該エレベータのかご１が割り当てられると、当該乗場呼びに対応した階床の行先階登録用ボタンスイッチ８が突然ＬＥＤ等により点灯し、不安を感じたり、混乱するおそれがある。そこで乗場呼びに対応した階床の行先階登録用ボタンスイッチ８をＬＥＤ等により点灯すると同時に、ブザー等による発音、スピーカーによる案内放送又は/及びかご位置表示装置４に乗場呼びが登録されたことを表示するなど、注意を喚起する報知を行っても良い。
【００４６】
（２）また、本発明に係るエレベータのかご操作盤５の行先階登録用ボタンスイッチ８のかご呼びに対する点灯と乗場呼びに対する点灯を異なった点灯色としても良い。かご呼びに対する点灯と乗場呼びに対する点灯の点灯色を異ならせることによって、乗場呼びがある階床に着床する場合は乗場から乗客が乗り込んでくることをあらかじめ予想することができ、スペースを空けるなどの準備を行うことができる。なお、この場合、各行先階登録用ボタンスイッチ８は２色のＬＥＤ等を内蔵したものを用いる。
【００４７】
また、すでにかご呼びが登録されている階床で、乗場呼びが発生する場合があるが、この場合、かご呼びに対する点灯色から乗場呼びに対する点灯色に変更させても良い。これにより、すでにかご呼びが登録されている階床で乗場呼びが発生した場合であっても、乗場から乗客が乗り込んでくることをあらかじめ予想することができる。
【実施例２】
【００４８】
図２において、エレベータ乗場１７に設置されたエレベータの乗場操作器具１４の上方向行きボタンスイッチ１５又は下方向行きボタンスイッチ１６が点灯していない場合において、エレベータ乗場１７を目的階とするかご呼びの登録が行われると、図示しない制御装置は乗場操作器具１４のかご進行方向に対応した上方向行きボタンスイッチ１５又は下方向行きボタンスイッチ１６を点灯させる。
【００４９】
これにより、エレベータ乗場１７におけるエレベータの利用客が希望するかご進行方向に向かうエレベータのかご１が、かご呼びの登録により当該エレベータ乗場１７に着床する場合、かご呼びと重複して上方向行きボタンスイッチ１５又は下方向行きボタンスイッチ１６を押下して乗場呼びするという利用客の無駄な操作を防止することができる。
【００５０】
以上、本発明に係るエレベータの操作装置を実施例２に基づいて説明してきたが、本発明は、上記した形態に限らないことは勿論であり、例えば、以下のような形態としても構わない。
【００５１】
（１）本発明に係る乗場操作装置１４を操作しようといているエレベータ乗場１７の利用客にとっては、当該エレベータ乗場１７の利用客が上方向行きボタンスイッチ１５又は下方向行きボタンスイッチ１６を押下していないにも関わらず、上方向行きボタンスイッチ１５又は下方向行きボタンスイッチ１６が突然ＬＥＤ等により点灯することにより、不安を感じたり、混乱するおそれがある。そこで上方向行きボタンスイッチ１５又は下方向行きボタンスイッチ１６をＬＥＤ等により点灯すると同時に、ブザー等による発音、スピーカーによる案内放送又は/及びかご位置表示装置１８に乗場呼びが登録されたことを表示するなど、注意を喚起する報知を行っても良い。
【００５２】
（２）また、本発明に係る乗場操作装置１４の上方向行きボタンスイッチ１５又は下方向行きボタンスイッチ１６の乗場呼びに対する点灯とかご呼びに対する点灯を異なった点灯色としても良い。乗場呼びに対する点灯とかご呼びに対する点灯の点灯色を異ならせることによって、かご呼びによって着床する場合はかごから乗客が降りてくることをあらかじめ予想することができ、乗場ドア１１の前方にスペースを空けるなどの配慮をすることができる。なお、この場合、上方向行きボタンスイッチ１５及び下方向行きボタンスイッチ１６は２色のＬＥＤ等を内蔵したものを用いる。
【００５３】
また、すでに乗場呼びが登録されているエレベータ乗場１７で、かご呼びが発生する場合があるが、この場合、乗場呼びに対する点灯色からかご呼びに対する点灯色に変更させても良い。これにより、すでに乗場呼びが登録されているエレベータ乗場１７に対して、かご呼びが発生した場合であってもエレベータのかご１から乗客が降りてくることをあらかじめ予想することができる。
【産業上の利用可能性】
【００５４】
本発明に係るエレベータの操作装置は、例えば、エレベータのかご内に設置されるかご操作盤又は乗場に設置される乗場操作器具として好適に利用可能である。
【符号の説明】
【００５５】
１        エレベータのかご
２        かごドア
３        袖壁
４、１８  かご位置表示装置
５        かご操作盤
６        天井
７        天井照明
８        行先階登録用ボタンスイッチ
９        １階登録用ボタンスイッチ
１０      ３階登録用ボタンスイッチ
１１      乗場ドア
１２      乗場ドア敷居
１３      三方枠
１４      乗場操作器具
１５      上方向行きボタンスイッチ
１６      下方向行きボタンスイッチ
１７      エレベータ乗場
【図１】
0006524873.tif 000002
【図２】
0006524873.tif 000003
【図３】
0006524873.tif 000004
【図４】
0006524873.tif 000005
【図５】
0006524873.tif 000006